(57)【要約】【課題】プラントの監視制御を行う運転員の操作するプラント構成機器の選択間違いを防止するようにしたオペレーション装置を得る。【解決手段】プラント構成機器を操作するための操作フレームをモニタ１７に表示するＣＲＴオペレーション装置１５は、プラント構成機器を撮像するように配置されたＩＴＶ１２からの画像データを取得するように且つ計算機１３の記憶装置に予め記憶された画像情報データ１４からプラント構成機器の画像データを取得するように配置され、モニタ１７への操作フレームの表示に当たって、画像データの表示をするかしないかと、画像データの取得方法とを予め定めた画像制御テーブル１６を参照して、プラント構成機器の画像データを操作フレーム内に表示するようにした。【選択図】図２
2011090555.tif 000002
【特許請求の範囲】
【請求項１】
プラント構成機器を撮像するように配置された撮像手段と、上記プラント構成機器の画像データを予め記憶装置に記憶した画像データ部とから、それぞれ画像データを取得するとともに、上記プラント構成機器を操作するための操作フレームを表示するオペレーション装置であって、
選択された上記プラント構成機器についての上記操作フレームを表示するモニタ、
上記プラント構成機器ごとに上記モニタへの当該プラント構成機器の画像データの表示の有無と、当該プラント構成機器の画像データを表示する場合に上記撮像手段からの画像データ及び上記画像データ部からの画像データのいずれを表示するかを予め定めた画像制御テーブルを備え、
上記モニタに上記選択されたプラント構成機器についての上記操作フレームを表示する場合、上記画像制御テーブルにしたがって、当該プラント構成機器の画像データを上記モニタに表示することを特徴とするオペレーション装置。
【請求項２】
プラント構成機器の音声データを入力するように配置された音声入力手段と、上記プラント構成機器の音声データを予め記憶装置に記憶した音声データ部とから、それぞれ音声データを取得するとともに、上記プラント構成機器を操作するための操作フレームを表示するオペレーション装置であって、
選択された上記プラント構成機器についての上記操作フレームを表示するモニタ、
上記選択されたプラント構成機器の音声データを出力する音声出力手段、
上記プラント構成機器ごとに当該プラント構成機器の音声データの出力の有無と、上記プラント構成機器の音声データを出力する場合に上記音声入力手段からの音声データ及び上記音声データ部からの音声データのいずれを出力するかを予め定めた音声制御テーブルを備え、
上記モニタに上記選択されたプラント構成機器についての上記操作フレームを表示する場合、上記音声制御テーブルにしたがって、当該プラント構成機器の音声データを上記音声出力手段から出力することを特徴とするオペレーション装置。
【請求項３】
選択された上記プラント構成機器の画像データを大画面に表示する大型表示装置、
上記プラント構成機器ごとに当該プラント構成機器の画像データの上記大型表示装置への表示の有無と、当該プラント構成機器の画像データを上記大型表示装置に表示する場合に上記撮像手段からの画像データ及び上記画像データ部からの画像データのいずれを表示するかを予め定めた大型表示装置画像制御テーブルを備え、
上記モニタに上記選択されたプラント構成機器についての上記操作フレームを表示する場合、上記大型表示装置画像制御テーブルにしたがって、当該プラント構成機器の画像データを上記大型表示装置に表示することを特徴とする請求項１記載のオペレーション装置。
【請求項４】
選択された上記プラント構成機器の音声データを出力する大型表示装置用音声出力手段、
上記プラント構成機器ごとに当該プラント構成機器の音声データの上記大型表示装置用音声出力手段からの出力の有無と、当該プラント構成機器の音声データを上記大型表示装置用音声出力手段から出力する場合に上記音声入力手段からの音声データ及び上記音声データ部からの音声データのいずれを出力するかを予め定めた大型表示装置音声制御テーブルを備え、
上記モニタに上記選択されたプラント構成機器についての上記操作フレームを表示する場合、上記大型表示装置音声制御テーブルにしたがって、当該プラント構成機器の音声データを上記大型表示装置用音声出力手段から出力することを特徴とする請求項２記載のオペレーション装置。
【請求項５】
プラント構成機器の操作を模擬するように構成され、運転訓練員による上記模擬操作のための操作フレームを表示するシミュレーション装置であって、
上記プラント構成機器の画像データを予め記憶装置に記憶した画像データ部、
上記プラント構成機器の音声データを予め記憶装置に記憶した音声データ部、
選択された上記プラント構成機器についての上記操作フレームを表示するモニタ、
上記選択されたプラント構成機器の音声データを出力する音声出力手段、
上記運転訓練員のレベルに応じて上記プラント構成機器ごとに上記モニタへの当該プラント構成機器の画像データの表示の有無と、当該プラント構成機器の音声データの出力の有無とを予め定めた画像・音声制御テーブルを備え、
上記運転訓練員の模擬操作のために上記モニタに上記選択されたプラント構成機器についての上記操作フレームを表示する場合、上記画像・音声制御テーブルにしたがって、当該プラント構成機器の画像データを上記モニタに表示し、当該プラント構成機器の音声データを音声出力手段から出力することを特徴とするシミュレーション装置。
【発明の詳細な説明】
【技術分野】
【０００１】
この発明は、発電所などのプラントの監視制御を行うオペレーション装置及びプラントの監視制御を行う運転訓練員の模擬操作を行うシミュレーション装置に関するものである。
【背景技術】
【０００２】
従来のＣＲＴオペレーション装置では、プラント構成機器の画像情報や音声情報を、監視制御室内でＣＲＴオペレーション装置を操作する運転員が、呼び出すか否かを選択できるようにしている。（特許文献１参照）
【先行技術文献】
【特許文献】
【０００３】
【特許文献１】特開２００１−８４００８号公報（第７〜１０頁、図５）
【発明の概要】
【発明が解決しようとする課題】
【０００４】
従来のＣＲＴオペレーション装置は、以上のように構成されているので、運転員がプラント構成機器をオペフレームにて呼出した後、もう一度データを呼出す操作を実施しないと、操作機器の画像情報の表示や音声情報の発音が行われず、操作機器の選択間違いというヒューマンエラーを発生させるという問題点があった。
また、近年の熟練した世代の運転員の退職により、現場をあまり知らない若手運転員のために、プラント構成機器の理解を深める教育が必要であり、このため、操作機器の画像情報の表示や音声情報の発音が必要になっている。
【０００５】
この発明は、上述のような課題を解決するためになされたものであり、プラントの監視制御を行う運転員の操作するプラント構成機器の選択間違いを防止するようにしたオペレーション装置を得ることを第一の目的としている。
また、プラントの監視制御を行う運転訓練員の訓練の効率を上げるようにしたシミュレーション装置を得ることを第二の目的にしている。
【課題を解決するための手段】
【０００６】
この発明に係わるオペレーション装置においては、
プラント構成機器を撮像するように配置された撮像手段と、プラント構成機器の画像データを予め記憶装置に記憶した画像データ部とから、それぞれ画像データを取得するとともに、プラント構成機器を操作するための操作フレームを表示するオペレーション装置であって、
選択されたプラント構成機器についての操作フレームを表示するモニタ、
プラント構成機器ごとにモニタへの当該プラント構成機器の画像データの表示の有無と、当該プラント構成機器の画像データを表示する場合に撮像手段からの画像データ及び画像データ部からの画像データのいずれを表示するかを予め定めた画像制御テーブルを備え、
モニタに選択されたプラント構成機器についての操作フレームを表示する場合、画像制御テーブルにしたがって、当該プラント構成機器の画像データをモニタに表示するものである。
【発明の効果】
【０００７】
この発明は、以上説明したように、プラント構成機器を撮像するように配置された撮像
手段と、プラント構成機器の画像データを予め記憶装置に記憶した画像データ部とから、それぞれ画像データを取得するとともに、プラント構成機器を操作するための操作フレームを表示するオペレーション装置であって、
選択されたプラント構成機器についての操作フレームを表示するモニタ、
プラント構成機器ごとにモニタへの当該プラント構成機器の画像データの表示の有無と、当該プラント構成機器の画像データを表示する場合に撮像手段からの画像データ及び画像データ部からの画像データのいずれを表示するかを予め定めた画像制御テーブルを備え、
モニタに選択されたプラント構成機器についての操作フレームを表示する場合、画像制御テーブルにしたがって、当該プラント構成機器の画像データをモニタに表示するので、重要なプラント構成機器の操作に際し、運転員に画像データを表示して臨場感をもたせることにより、操作するプラント構成機器の選択誤りを防止することができる。
【図面の簡単な説明】
【０００８】
【図１】この発明の実施の形態１によるＣＲＴオペレーション装置の画面例を示す図である。
【図２】この発明の実施の形態１によるＣＲＴオペレーション装置を含むシステムを示す全体構成図である。
【図３】この発明の実施の形態１によるＣＲＴオペレーション装置の動作を示す処理フローと画像制御テーブルを示す図である。
【図４】この発明の実施の形態２によるＣＲＴオペレーション装置を含むシステムを示す全体構成図である。
【図５】この発明の実施の形態２によるＣＲＴオペレーション装置の動作を示す処理フローと音声制御テーブルを示す図である。
【図６】この発明の実施の形態３によるＣＲＴオペレーション装置を含むシステムを示す全体構成図である。
【図７】この発明の実施の形態３によるＣＲＴオペレーション装置の動作を示す処理フローと画像制御テーブルを示す図である。
【図８】この発明の実施の形態４によるＣＲＴオペレーション装置を含むシステムを示す全体構成図である。
【図９】この発明の実施の形態４によるＣＲＴオペレーション装置の動作を示す処理フローと音声制御テーブルを示す図である。
【図１０】この発明の実施の形態５によるシミュレーション装置を示す構成図である。
【図１１】この発明の実施の形態５によるシミュレーション装置の動作を示す処理フローと画像・音声制御テーブルを示す図である。
【発明を実施するための形態】
【０００９】
実施の形態１．
以下、この発明の実施の形態１のＣＲＴオペレーション装置を図に基づいて説明する。
図１は、この発明の実施の形態１によるＣＲＴオペレーション装置の画面例を示す図である。
図１において、ＣＲＴオペレーション装置のモニタにて、運転員がプラント機器（プラント構成機器）のうち操作する機器（この例では、１号発電機遮断器）の接続図４を画面上に呼び出し、オペフレーム１（操作フレーム）を表示させる。その際、予め設定しておいたＣＲＴオペレーション装置の後述する画像制御テーブルをもとにして、該当するプラント機器の画像データ２を、オペフレーム上で運転員が呼出し操作を実施しなくても、自動的に表示するようにしている。
オペフレーム１は、運転員が該当するプラント機器を操作するための操作部３を有し、操作部３は、操作ボタンとして、この例では、１号発電機遮断器を閉操作するための入ボ
タン５、開操作するための切ボタン６、入ボタン５及び切ボタン６を実行するための実行ボタン７、実行を取り消す取消ボタン８を有している。
【００１０】
図２は、この発明の実施の形態１によるＣＲＴオペレーション装置を含むシステムを示す全体構成図である。
図２において、ＩＴＶ制御装置１１は、プラント機器（プラント構成機器）を撮像するように配置されたＩＴＶ１２（撮像手段）を制御し、撮像したプラント機器の画像データを取り込む。計算機１３によって読み書きされる画像情報データ１４（画像データ部）には、予めプラント機器の静止画（デジタル写真、イラスト等）が記憶装置上に入力されている。ＣＲＴオペレーション装置１５は、モニタ１７とスピーカ１８を有し、記憶装置上の後述する画像制御テーブル１６を参照して、計算機１３にプラント機器の画像データを要求し、計算機１３を介して、ＩＴＶ１２の撮像した実際のプラント機器の画像データ、または画像情報データ１４に予め記憶された静止画を取得し、モニタ１７に表示を行うようになっている。
【００１１】
図３は、この発明の実施の形態１によるＣＲＴオペレーション装置の動作を示す処理フローと画像制御テーブルを示す図である。
図３において、画像制御テーブルは、プラント機器ごとに設けられ、その画像をモニタ１７に表示するか否かを示す画像表示フラグと、予め画像情報データ１４に記憶された静止画を表示するか、もしくはＩＴＶ１２によって撮像された実際のプラント機器の画像を表示するかを示すＩＴＶ画像フラグとを有する。
【００１２】
次に動作について、図３のフローに沿って説明する。
運転員が操作するプラント機器を画面上に呼び出すと、ステップＳ１で、該当するプラント機器の画像制御テーブル１６の画像表示フラグを見て、０であれば、ステップＳ５で、モニタ１７に画像を表示しない。これは、ヒューマンエラーによる誤操作の恐れのある機器、例えば発電機遮断器や非常用油ポンプなどの重要機器のみ画像を表示させて、運転員が画像で機器を確認した後、機器の操作（この例では、１号発電機遮断器の開または閉操作）を実施させるようにするためであり、ヒューマンエラーによる誤操作の恐れのない機器は、画面に表示させないように簡素化するためである。
【００１３】
ステップＳ１で、画像表示フラグが１であれば、ステップＳ２で、画像制御テーブル１６のＩＴＶ画像フラグを見て、１であれば、ステップＳ３で、ＩＴＶ制御装置１１からＩＴＶ１２の撮像する該当プラント機器の画像データをモニタ１７に表示する。ステップＳ２で、ＩＴＶ画像フラグが０であれば、計算機１３の画像情報データ１４から呼び出される、予めインプットしておいた静止画（デジタル写真、イラスト等）を表示させる。これは、ＩＴＶ１２の配置台数が多いと経済的にコストが高くなることを防止するためである。
【００１４】
なお、実施の形態１で記述したＣＲＴオペレーション装置は、表示機能がＣＲＴに限らず、例えば液晶ディスプレイなどの表示機能にオペレーションフレームを表示する装置であればよい。
これは、後述する実施の形態２〜実施の形態５においても同様である。
【００１５】
実施の形態１によれば、低コストにて重要なプラント機器の操作の際、運転員に画像データにて臨場感をもたせることにより、操作するプラント機器の選択誤りを防止することができる。
また、運転員の技量に応じて画像制御テーブルを変更して運転員を教育することも可能になる。
【００１６】
実施の形態２．
図４は、この発明の実施の形態２によるＣＲＴオペレーション装置を含むシステムを示す全体構成図である。
図４において、１３、１５、１７、１８は図２におけるものと同一のものである。
音声制御装置２１は、プラント機器の名称などの音声データを入力するように配置されたマイク２２（音声入力手段）を制御し、マイク２２により、プラント機器の名称などの音声データを取り込む。計算機１３によって読み書きされる音声情報データ２４（音声データ部）には、予め録音データ（実際のプラント機器の名称などの録音、擬似音声等）が記憶装置に入力されたものである。
ＣＲＴオペレーション装置１５は、記憶装置上の音声制御テーブル２６を参照して、計算機１３に該当するプラント機器の音声データを要求し、計算機１３から、マイク２２の音声データ、または音声情報データ２４に記憶された録音データを取得し、スピーカ１８（音声出力手段）で発音させるようになっている。
【００１７】
図５は、この発明の実施の形態２によるＣＲＴオペレーション装置の動作を示す処理フローと音声制御テーブルを示す図である。
図５において、音声制御テーブルは、プラント機器ごとに設けられ、音声データをスピーカ１８で発音させるかどうかを示す音声発声フラグと、予め録音された音声情報データ２４の録音データを出力するか、もしくはマイク２２からの音声データを出力するかを示すマイク音声フラグとを有する。
【００１８】
次に、動作について図５のフローに沿って説明する。
図５で、運転員が操作する機器を画面上に呼び出すと、ステップＳ１１で、該当するプラント機器の音声制御テーブル２６の音声発音フラグを見て０であれば、ステップＳ１５で、ＣＲＴオペレーション装置のスピーカから発音しない。これは、ヒューマンエラーによる誤操作の恐れのある機器、例えば発電機遮断器や非常用油ポンプなどの重要機器のみ発音させて運転員が音声で機器を確認した後、機器の操作（この例では、１号発電機遮断器の開または閉操作）を実施させるようにするためであり、ヒューマンエラーによる誤操作の恐れのない機器は監視制御室の騒音の低減で発音させないためである。
【００１９】
ステップＳ１１で、音声発音フラグが１であれば、ステップＳ１２で、音声制御テーブル２６のマイク音声フラグを見て１であれば、ステップＳ１３で、音声制御装置２１から該当するプラント機器の音声をＣＲＴオペレーション装置１５のスピーカ１８から発音する。
ステップＳ１２で、マイク音声フラグが０であれば、ステップＳ１４で、計算機１３の音声情報データ２４に予めインプットしておいた録音データ（実際のプラント機器の名称などの録音、擬似音声等）を計算機１３から取得し、スピーカ１８に発音させる。これは、マイクの配置台数が多いと経済的にコストが高くなることを防止するためである。
【００２０】
実施の形態２によれば、低コストにて、重要なプラント機器の操作の際、運転員に音声データにて臨場感をもたせて、操作機器の選択誤りを防止することができる。
また、運転員の技量に応じて音声制御テーブルを変更して運転員の教育も可能である。
【００２１】
実施の形態３．
図６は、この発明の実施の形態３によるＣＲＴオペレーション装置を含むシステムを示す全体構成図である。
図６において、１１〜１５、１７、１８は図２におけるものと同一のものである。図６では、モニタ１７に表示される画像をそのまま表示する大型表示装置３２と、スピーカ１８から発音される音声をそのまま発音する大型表示装置３２のスピーカ３３を設けている。大型表示装置用制御装置３１は、大型表示装置３２への表示の制御と、スピーカ３３への音声出力を制御する。画像制御テーブル１６（大型表示装置画像制御テーブル）は、後述するように、大型表示装置３２への表示の有無と、表示する画像データの取得について予め定めたものである。
図２と同様に、ＣＲＴオペレーション装置１５のモニタ１７にて、運転員がプラント構成機器のうち操作する機器（この例では、１号発電機遮断器）を画面上に呼び出し、オペフレームを表示させる。その際、予め設定しておいたＣＲＴオペレーション装置１５の画像制御テーブル１６をもとに、該当するプラント機器の画像データをオペフレームにて人が呼出し操作を実施しなくても、自動的に表示する。このとき、大型表示装置３２にも同じ表示を行う。
【００２２】
図７は、この発明の実施の形態３によるＣＲＴオペレーション装置の動作を示す処理フローと画像制御テーブルを示す図である。
図７において、画像制御テーブルは、プラント機器ごとに設けられ、大型表示装置に画像を表示するか否かを示す大型表示装置フラグと、大型表示装置に、予め記憶された静止画を表示するか、もしくはＩＴＶで撮像する画像を表示するかを示すＩＴＶ画像フラグとを有する。
【００２３】
次に、動作について図７のフローに沿って説明する。
図７で、運転員が操作する機器を画面上に呼び出すと、ステップＳ２１で、該当するプラント機器の画像制御テーブル１６の大型表示装置フラグを見て０であれば、ステップＳ２５で、大型表示装置３２に画像を表示しない。これは、ヒューマンエラーによる誤操作の恐れのある機器、例えば発電機遮断器や非常用油ポンプなどの重要機器のみ表示させて運転員が画像で機器を確認した後、機器の操作（この例では、１号発電機遮断器の開または閉操作）を実施させるようにするためであり、ヒューマンエラーによる誤操作の恐れのない機器は、画面の簡素化のために表示させないようにする。
【００２４】
ステップＳ２１で、大型表示装置フラグが１であれば、ステップＳ２２で、画像制御テーブル１６のＩＴＶ画像フラグを見て１であれば、ステップＳ２３で、ＩＴＶ制御装置１１から該当する機器のデータを、大型表示装置用制御装置３１の制御により大型表示装置３２に表示する。
ステップＳ２２で、ＩＴＶ画像フラグが０であれば、ステップＳ２４で、計算機１３から、画像情報データ１４の予めインプットしておいた静止画（デジタル写真、イラスト等）を取得し、大型表示装置用制御装置３１の制御により大型表示装置３２に表示する。これは、ＩＴＶの配置台数が多いと経済的にコストが高くなることを防止するためである。
【００２５】
実施の形態３によれば、低コストにて重要なプラント機器の操作の際、監視制御室内の運転員に臨場感をもたせて、画像情報を複数の運転員に共有させることにより、操作機器の選択誤りを防止することができる。
また、運転員の技量に応じて画像制御テーブルを変更して運転員の教育も可能である。
【００２６】
実施の形態４．
図８は、この発明の実施の形態４によるＣＲＴオペレーション装置を含むシステムを示す全体構成図である。
図８において、１３、１５、１７、１８、２１、２２、２４は図４におけるものと、また３１〜３３は図６におけるものとそれぞれ同一のものである。音声制御テーブル２６（大型表示装置音声制御テーブル）は、後述するように、大型表示装置３２のスピーカ３３（大型表示装置用音声出力手段）からの発音の有無と、発音する音声データの取得について予め定めたものである。
図４と同様に、ＣＲＴオペレーション装置１５のモニタ１７にて運転員がプラント構成機器のうち操作する機器（この例では、１号発電機遮断器）を画面上に呼び出し、オペフ
レームを表示させる。その際、予め設定しておいたＣＲＴオペレーション装置１５の音声制御テーブル２６をもとに、該当する機器の音声データをオペフレームにて人が呼出し操作を実施しなくても自動的に発音する。このとき、大型表示装置３２のスピーカ３３からも同じく発音する。
【００２７】
図９は、この発明の実施の形態４によるＣＲＴオペレーション装置の動作を示す処理フローと音声制御テーブルを示す図である。
図９において、画像制御テーブルは、プラント機器ごとに設けられ、大型表示装置のスピーカから発音するか否かを示す大型表示装置フラグと、大型表示装置のスピーカから、予め録音された音声情報データ２４の録音データを発音するか、もしくはマイクからの音声データを出力するかを示すマイク音声フラグとを有する。
【００２８】
次に、動作について、図９のフローに沿って説明する。
図９で、運転員が操作するプラント機器をモニタ１７の画面上に呼び出すと、ステップＳ３１で、該当するプラント機器の音声制御テーブル２６の大型表示装置フラグを見て０であれば、ステップＳ３５で、大型表示装置のスピーカ３３から発音しない。これは、ヒューマンエラーによる誤操作の恐れのある機器、例えば発電機遮断器や非常用油ポンプなどの重要機器のみ発音させて、運転員が音声で機器を確認した後、機器の操作（この例では、１号発電機遮断器の開または閉操作）を実施させるようにするためであり、ヒューマンエラーによる誤操作の恐れのない機器は、監視制御室の騒音の低減のため発音させないようにする。
【００２９】
ステップＳ３１で、大型表示装置フラグが１であれば、ステップＳ３２で、画像制御テーブル２６のマイク音声フラグを見て１であれば、ステップＳ３３で、音声制御装置２１から、該当するプラント機器の音声を大型表示装置のスピーカ３３から発音する。
ステップＳ３２で、マイク音声フラグが０であれば、ステップＳ３４で、計算機１３から、音声情報データ２４に予めインプットしておいた録音データ（実際のプラント機器の名称などの録音、擬似音声等）を取得し、大型表示装置のスピーカ３３から発音する。これは、マイクの配置台数が多いと、経済的にコストが高くなることを防止するためである。
【００３０】
実施の形態４によれば、低コストにて、重要なプラント機器の操作の際、監視制御室内の運転員に臨場感をもたせて音声情報を複数の運転員に共有させることにより、操作機器の選択誤りを防止することができる。
また、運転員の技量に応じて音声制御テーブルを変更して運転員の教育も可能である。
【００３１】
実施の形態５．
実施の形態１〜実施の形態４は、実際のプラントの運転に関するものであったが、実施の形態５は、運転員の訓練用に模擬操作を行うシミュレータ装置についてのものである。
図１０は、この発明の実施の形態５によるシミュレーション装置を示す構成図である。
図１０において、１３〜１５、１７、１８は図２におけるものと、２４は図４におけるものとそれぞれ同一のものである。図１０には、模擬操作フレームの表示に当たって、画像表示及び音声発音を制御するための画像・音声制御テーブル４１を設けている。
【００３２】
図１１は、この発明の実施の形態５によるシミュレーション装置の動作を示す処理フローと画像・音声制御テーブルを示す図である。
図１１において、画像・音声制御テーブルは、模擬操作の対象となるプラント機器ごとに設けられ、運転訓練員のレベルに応じて、該当するプラント機器の画像をモニタ１７に表示するか否かを示す画像表示フラグと、該当するプラント機器の音声データをスピーカ１８で発音させるかどうかを示す音声発声フラグとを有している。
【００３３】
次に、動作について、図１１のフローに沿って説明する。
図１１で、運転訓練員が模擬操作するプラント機器の模擬操作フレームを画面上に呼び出すと、ステップＳ４１で、該当するプラント機器の画像・音声制御テーブル４１の画像表示フラグを見て０であれば、ステップＳ４３で、モニタ１７に画像を表示しない。ステップＳ４１で、画像表示フラグが１であれば、ステップＳ４２で、計算機１３の画像情報データ１４から該当する機器の静止画の画像データを取得し、モニタ１７に表示する。
【００３４】
次いで、ステップＳ４４で、画像・音声制御テーブル４１の音声発音フラグを見て０であれば、ステップＳ４６で、ＣＲＴオペレーション装置１５のスピーカ１８から発音しない。ステップＳ４４で、音声発音フラグが１であれば、計算機１３の音声情報データ２４から該当するプラント機器の音声データを取得し、ＣＲＴオペレーション装置１５のスピーカ１８から発音する。これは、運転訓練員のレベルに合わせて、予め設定しておいたフラグをもとに表示、発音を制御するもので、運転訓練員の熟練度が上がれば、機器の表示、発音を行わないようにすることができるものである。
【００３５】
実施の形態５によれば、運転員の訓練用のシミュレータ装置にて、プラント機器の模擬操作の際、運転員の技量に応じて画像・音声制御テーブルを変更することにより、低コストにて運転員の教育、訓練の効率を上げることができる。
【符号の説明】
【００３６】
１  オペフレーム
２  接続図
３  操作部
４  画像データ
５  入ボタン
６  切ボタン
７  実行ボタン
８  取消ボタン
１１  ＩＴＶ制御装置
１２  ＩＴＶ
１３  計算機
１４  画像情報データ
１５  ＣＲＴオペレーション装置
１６  画像制御テーブル
１７  モニタ
１８  スピーカ
２１  音声制御装置
２２  マイク
２４  音声情報データ
２６  音声制御テーブル
３１  大型表示装置用制御装置
３２  大型表示装置
３３  スピーカ
４１  画像・音声制御テーブル
【図２】
2011090555.tif 000003
【図３】
2011090555.tif 000004
【図４】
2011090555.tif 000005
【図５】
2011090555.tif 000006
【図６】
2011090555.tif 000007
【図７】
2011090555.tif 000008
【図８】
2011090555.tif 000009
【図９】
2011090555.tif 000010
【図１０】
2011090555.tif 000011
【図１１】
2011090555.tif 000012
【図１】
2011090555.tif 000013